(57)【要約】【課題】良好なデザイン性を確保しつつコストダウンを図る上で有利な画像表示装置を提供する。【解決手段】液晶パネル３０の表示面３２の周囲に沿って配置される４つの細長形状の前面部のうちの上前面部２２Ａと下前面部２２Ｂにその長手方向に沿って凹部２２０２、２２５０を形成し、凹部２２０２および凹部２２５０に飾りパネル４０Ａ、４０Ｂをそれぞれ装着する。飾りパネル４０Ａは、透明な合成樹脂からなる帯状の板材４２Ａと、板材４２Ａの裏面の全域に設けられた鏡面印刷面４４Ａとで構成されている。板材４２Ａは、ガラスと同様な色を呈するように薄い緑色であるガラス色で着色されている。板材４２Ａは、凹部２２０２の延在長さよりも小さい寸法の長さで形成されている。板材４２の裏面は鏡面仕上げがなされている。【選択図】図４
2007025004.tif 000002
【特許請求の範囲】
【請求項１】
画像表示パネルの矩形状の表示面の周囲に沿って配置される４つの細長形状の前面部を有するフロントカバーと、
前記４つの前面部のうちの１つの前面部に前方に開放状で前記前面部の長手方向に沿って延在形成された凹部と、
前記凹部に配置された飾りパネルとを備え、
前記飾りパネルは、透明な合成樹脂材料からなる帯状の板材と、前記板材の裏面全域に形成された鏡面印刷面とで構成されている、
ことを特徴とする画像表示装置。
【請求項２】
前記凹部は、前記フロントカバーに設けられた凹部形成用壁で形成され、前記凹部形成用壁の延在長さは、前記飾りパネルの長さよりも小さい寸法で形成され、前記フロントカバーの内部で前記凹部形成用壁の延在方向の両端にはそれぞれ空間部が位置しており、前記凹部とその両端の空間部により前記飾りパネル収容空間が形成され、前記凹部の長さ方向に沿った各空間部の端部の前方には前記フロントカバーに設けられた壁部が位置しており、前記飾りパネルは前記飾りパネル収容空間に配置され、前記飾りパネルの長さ方向の両端は前記壁部により覆われることを特徴とする請求項１記載の画像表示装置。
【請求項３】
前記凹部は、前記フロントカバーに設けられた凹部形成用壁で形成され、前記凹部形成用壁の延在長さは、前記飾りパネルの長さよりも小さい寸法で形成され、前記フロントカバーの内部で前記凹部形成用壁の延在方向の両端にはそれぞれ空間部が位置しており、前記凹部とその両端の空間部により前記飾りパネル収容空間が形成され、前記飾りパネル収容空間の長さは、前記飾りパネルの長さよりも大きい寸法で形成され、前記凹部の長さ方向に沿った各空間部の端部の前方には前記フロントカバーに設けられた壁部が位置しており、前記飾りパネルは前記飾りパネル収容空間に配置され、前記飾りパネルの長さ方向の両端は前記壁部により覆われることを特徴とする請求項１記載の画像表示装置。
【請求項４】
前記凹部は、前記フロントカバーに設けられた凹部形成用壁で形成され、前記凹部形成用壁の延在長さは、前記飾りパネルの長さよりも小さい寸法で形成され、前記フロントカバーの内部で前記凹部形成用壁の延在方向の両端にはそれぞれ空間部が位置しており、前記凹部とその両端の空間部により前記飾りパネル収容空間が形成され、前記凹部の長さ方向に沿った各空間部の端部の前方には前記フロントカバーに設けられた壁部が位置しており、前記凹部形成用壁の長さ方向の両端は前記壁部に対してその長さ方向の中央寄りに離れた箇所に位置しており、前記飾りパネル収容空間の長さは、前記飾りパネルの長さよりも大きい寸法で形成され、前記飾りパネルは前記飾りパネル収容空間に配置され、前記飾りパネルの長さ方向の両端は前記壁部により覆われることを特徴とする請求項１記載の画像表示装置。
【請求項５】
前記凹部は、前記フロントカバーに設けられた凹部形成用壁で形成され、前記凹部形成用壁の延在長さは、前記飾りパネルの長さよりも小さい寸法で形成され、前記フロントカバーの内部で前記凹部形成用壁の延在方向の両端にはそれぞれ空間部が位置しており、前記凹部とその両端の空間部により前記飾りパネル収容空間が形成され、前記凹部の長さ方向に沿った各空間部の端部の前方には前記フロントカバーに設けられた壁部が位置しており、前記飾りパネルは前記飾りパネル収容空間に配置され、前記飾りパネルの長さ方向の両端は前記壁部により覆われ、前記板材の長さ方向の一方の端部に係合孔が形成され、前記壁部から突設された係合ピンが前記係合孔に係合し前記板材の長さ方向の一方の端部は前記板材の長さ方向に移動不能に結合され、前記板材の長さ方向の他方の端部は前記凹部の延在方向の端部に位置する前記空間部に収容され前記フロントカバーの壁面との間に隙間を確保して配設され、温度の変化により前記板材の長さが変化する際に前記板材は前記係合ピンと係合孔とが係合された箇所を基準として膨張収縮することを特徴とする請求項１記載の画像表示装置。
【請求項６】
前記凹部の底壁には複数の係合孔が設けられ、前記鏡面印刷面の裏面には係合爪が突設され、前記飾りパネルは前記係合爪が前記係合孔に前記凹部の長さ方向に移動可能にかつ前記凹部の長さ方向および深さ方向と直交する方向に移動不能に係合することで前記凹部に配置されていることを特徴とする請求項１記載の画像表示装置。
【請求項７】
前記鏡面印刷面の裏面に位置決めピンが突設され、前記凹部の底壁に、前記凹部の長さ方向および深さ方向に直交する方向における前記飾りパネルの位置決めを行なう位置決め溝が前記凹部の長さ方向に沿って延在形成され、前記鏡面印刷面の裏面に位置決めピンが突設され、前記飾りパネルは前記位置決めピンが前記位置決め溝に前記凹部の長さ方向に移動可能に挿入されることで前記凹部の長さ方向および深さ方向に直交する方向における位置決めがなされていることを特徴とする請求項１記載の画像表示装置。
【請求項８】
前記鏡面印刷面の裏面に前記板材の長さ方向に間隔をおいて複数のホルダが取着され、前記ホルダは、前記鏡面印刷面の裏面に取着される細長形状の本体板部を備え、前記係合爪は前記本体板部から突設されていることを特徴とする請求項６記載の画像表示装置。
【請求項９】
前記鏡面印刷面の裏面に前記板材の長さ方向に間隔をおいて複数のホルダが取着され、前記ホルダは、前記鏡面印刷面の裏面に取着される細長形状の本体板部を備え、前記位置決めピンは前記本体板部から突設されていることを特徴とする請求項７記載の画像表示装置。
【請求項１０】
前記係合爪は、前記凹部の長さ方向および深さ方向と直交する方向において互いに対向するように設けられていることを特徴とする請求項６記載の画像表示装置。
【請求項１１】
前記凹部の底壁には複数の係合孔が設けられ、前記鏡面印刷面の裏面には係合爪が突設され、前記飾りパネルは前記係合爪が前記係合孔に前記凹部の長さ方向に移動可能にかつ前記凹部の長さ方向および深さ方向と直交する方向に移動不能に係合することで前記凹部に配置され、前記鏡面印刷面の裏面に位置決めピンが突設され、前記凹部の底壁に、前記凹部の長さ方向および深さ方向に直交する方向における前記飾りパネルの位置決めを行なう位置決め溝が前記凹部の長さ方向に沿って延在形成され、前記鏡面印刷面の裏面に位置決めピンが突設され、前記飾りパネルは前記位置決めピンが前記位置決め溝に前記凹部の長さ方向に移動可能に挿入されることで前記凹部の長さ方向および深さ方向に直交する方向における位置決めがなされ、前記鏡面印刷面の裏面に前記板材の長さ方向に間隔をおいて複数のホルダが取着され、前記ホルダは、前記鏡面印刷面の裏面に取着される細長形状の本体板部を備え、前記係合爪および前記位置決めピンは前記本体板部から突設され、前記ホルダは、前記本体板部の長さと、前記係合爪および位置決めピンの突設箇所とが異なる複数種類設けられていることを特徴とする請求項１記載の画像表示装置。
【請求項１２】
前記板材は、ガラス色に着色されていることを特徴とする請求項１記載の画像表示装置。
【発明の詳細な説明】
【技術分野】
【０００１】
本発明は画像表示装置に関する。
【背景技術】
【０００２】
液晶ディスプレイなどの画像表示パネルから構成された画像表示部を有する画像表示装置がある。
このような画像表示部として、矩形状の表示面を有する画像表示パネルと、画像表示パネルの四辺の外縁に沿って延在し画像表示パネルを支持する透明樹脂製の矩形枠状のブラケットと、画像表示パネルの側方からブラケットの背面までを覆うカバーを備えたものが提案されている（特許文献１参照）。
このような構成によれば、画像表示パネルの輪郭に沿って透明なブラケットが位置することで、あたかも画像表示パネルの表示面が、ブラケットの外側に位置するカバー部分から浮き上がったフローティング構造として見えるため、斬新な趣きを与え良好なデザイン性を確保することができる。
【特許文献１】特許第３６０３８８５号公報
【発明の開示】
【発明が解決しようとする課題】
【０００３】
ところで、この従来技術では、ブラケットとして例えばアクリル樹脂が用いられており、画像表示パネルに浮き上がった感じを与えるため、ブラケットの前後幅は画像表示パネルの前後厚さよりも大きな寸法で形成されており、用いる透明なアクリル樹脂の量は極めて多い。
そのため、前記従来技術では、ブラケットの製造コストがかかりがちであり、コストダウンを図る上で不利があった。
本発明は、このような事情に鑑みなされたもので、その目的は良好なデザイン性を確保しつつコストダウンを図る上で有利な画像表示装置を提供することにある。
【課題を解決するための手段】
【０００４】
上記目的を達成するために、本発明は、画像表示パネルの矩形状の表示面の周囲に沿って配置される４つの細長形状の前面部を有するフロントカバーと、前記４つの前面部のうちの１つの前面部に前方に開放状で前記前面部の長手方向に沿って延在形成された凹部と、前記凹部に配置された飾りパネルとを備え、前記飾りパネルは、透明な合成樹脂材料からなる帯状の板材と、前記板材の裏面全域に形成された鏡面印刷面とで構成されていることを特徴とする。
【発明の効果】
【０００５】
本発明によれば、飾りパネルの各鏡面印刷面が透明な板材を介して前方に臨み、飾りパネル箇所に奥行きが感じられ、画像表示パネルのフローティング構造を構成することができる。
そして、本実施の形態では、飾りパネルを構成する板材の前後方向の厚さは、画像表示パネルの前後厚さに比べて大幅に短縮された寸法で足りる。
したがって、従来のフローティング構造を構成するブラケットの厚さに比べて大幅に短縮でき、したがって、コストダウンを図りつつフローティング構造を構成できる。
【発明を実施するための最良の形態】
【０００６】
（第１の実施の形態）
以下、本発明による画像表示装置の実施の形態を図面に基づいて詳細に説明する。
図１は第１の実施の形態における画像表示装置１００の斜視図、図２はフロントカバー２０を前方から見た斜視図、図３はフロントカバー２０を後方から見た斜視図である。
【０００７】
本実施の形態では、画像表示装置１００は、画像表示パネルとして液晶パネル３０を用いたテレビジョン装置である。
図１に示すように、画像表示装置１００は、画像表示部１０と、画像表示部１０の下面中央から下方に延在する脚体１２と、脚体１２を支持する載置台１４とを備え、脚体１２は、載置台１４に鉛直軸の周りに回転可能に支持されている。
【０００８】
図１に示すように、画像表示部１０は、フロントカバー２０と、液晶パネル３０と、不図示のバックカバーとを備えており、フロントカバー２０には本発明に係る飾りパネル４０Ａ、４０Ｂが設けられている。
【０００９】
図２、図３に示すように、フロントカバー２０は、矩形枠状の前板２２と、前板２２の四辺から後方に向けてそれぞれ起立された側板２４とを備えている。
前面２２の内側に高さと高さよりも大きい寸法の幅を有する矩形状の正面開口２６が形成されている。
前面２２は、正面開口２６の上方で左右幅方向に延在する左右に細長の上前面部２２Ａと、正面開口２６の下方で左右幅方向に延在する左右に細長の下前面部２２Ｂと、正面開口２６の左方で上下高さ方向に延在する上下に細長の左前面部２２Ｃと、正面開口２６の右方で上下高さ方向に延在する上下に細長の右前面部２２Ｄとを有している。
図２に示すように、少なくとも左前面部２２Ｃと右前面部２２Ｄは放音用の多数の微細孔からなるスピーカーグリルが形成され、その背面に音声を出力する不図示のスピーカーが取着されている。
図１に示すように、液晶パネル３０は、フロントカバー２０の４つの側板２４の内側に収容可能な大きさの矩形板状を呈し、その前面に表示面３２が位置している。
液晶パネル３０は、表示面３２がフロントカバー２０の背面から正面開口２６に臨んだ状態で配設されている。
なお、液晶パネル３０の背面には、何れも図示しないシャーシとシャーシに組み付けられた電装部品が配設され、これらシャーシおよび電装部品は、液晶パネル３０の背面に臨むように配設された前記バックカバーによって覆われており、バックカバーはフロントカバーにねじなどで取着されている。
【００１０】
図４（Ａ）はフロントカバー２０の正面図、（Ｂ）は（Ａ）のＸＸ線断面図、（Ｃ）は（Ａ）のＹＹ線断面図、図５は図４（Ｂ）のＡ部分の拡大図、図６は図５のＡ１部分の拡大図、図７は図４のＢ部分の拡大図、図８は図５のＡ２部分の拡大図、図９は図４（Ｃ）のＣ部分の拡大図、図１０は図４（Ｃ）のＤ部分の拡大図である。
図４（Ａ）、図５乃至図７に示すように、上前面部２２Ａの上縁寄りの箇所にその上縁に沿って飾りパネル収容空間２３Ａが形成され、飾りパネル収容空間２３Ａの長さは、装着される飾りパネル４０Ａの長さよりも大きい寸法で形成されている。
飾りパネル収容空間２３Ａは、本実施の形態では、上前面部２２Ａの上縁寄りの箇所にその上縁に沿って直線状に延在する前方に開放状の凹部２２０２と、フロントカバー２０の内部で凹部２２０２の延在方向の両端に位置する空間部Ｓとで構成されている。
凹部２２０２は、フロントカバー２０に一体に設けられた凹部形成用壁２２０２Ａで形成されている。
凹部２２０２の長さ方向に沿った各空間部Ｓの端部の前方にはフロントカバー２０の側板２４の前端から内側に屈曲された壁部２２０４が位置している。
凹部形成用壁２２０２Ａの長さ方向の両端は、図６、図７に示すように、壁部２２０４に対してその長さ方向の中央寄りに離れた箇所に位置している。
そして、図５、図６に示すように、一方の壁部２２０４には、より詳細には、空間Ｓに臨む壁部２２０４の背面に係合ピン２２０６が突出形成されている。
また、凹部２２０２の底壁２２１０には複数の係合孔２２１２（図１０参照）が形成され、また、図５、図９に示すように、上下方向の位置決め溝２２１４が形成されている。
より詳細には、係合孔２２１２は、凹部２２０２の底壁２２１０の対向する上下部（凹部２２０２の長さ方向および深さ方向と直交する方向において互いに対向する箇所）に設けられている。
また、位置決め溝２２１４は、凹部２２０２の底壁２２１０の上下方向の中間部（凹部２２０２の長さ方向および深さ方向と直交する方向における中間部）に設けられている。
【００１１】
図４（Ａ）、図５乃至図７に示すように、下前面部２２Ｂの下縁寄りの箇所にその下縁に沿って飾りパネル収容空間２３Ｂが形成され、飾りパネル収容空間２３Ｂの長さは、装着される飾りパネル４０Ｂの長さよりも大きい寸法で形成されている。
飾りパネル収容空間２３Ｂは、本実施の形態では、下前面部２２Ｂの下縁寄りの箇所にその下縁に沿って直線状に延在する前方に開放状の凹部２２５０と、フロントカバー２０の内部で凹部２２５０の延在方向の両端に位置する空間部Ｓとで構成されている。
凹部２２５０は、フロントカバー２０に一体に設けられた凹部形成用壁２２５０Ａで形成されている。
凹部２２５０の長さ方向に沿った各空間部Ｓの端部の前方にはフロントカバー２０の側板２４の前端から内側に屈曲された壁部２２５４が位置している。
凹部形成用壁２２０２Ｂの長さ方向の両端は、図６、図７に示すように、壁部２２５４に対してその長さ方向の中央寄りに離れた箇所に位置している。
そして、一方の壁部２２５４には、より詳細には、空間部Ｓに臨む壁部２２５４の背面に係合ピン２２５６が突出形成されている。
また、凹部２２５０の底壁２２６０には複数の係合孔２２６２（図１０参照）が形成され、また、図５、図９に示すように、上下方向の位置決め溝２２６４が形成されている。
より詳細には、係合孔２２６２は、凹部２２５０の底壁２２６０の対向する上下部（凹部２２５０の長さ方向および深さ方向と直交する方向において互いに対向する箇所）に設けられている。
また、位置決め溝２２６４は、凹部２２５０の底壁２２６０の上下方向の中間部（凹部２２５０の長さ方向および深さ方向と直交する方向における中間部）に設けられている。
【００１２】
また、凹部２２５０の一端寄りの後方箇所には、図２４に示すＬＥＤ基板５０が配設されている。
図２４に示すように、ＬＥＤ基板５０は、凹部２２５０の長さ方向に沿って延在する帯板状に形成された基板本体５２と、基板本体５２の表面に実装された１つの受光素子５４および３つのＬＥＤ５６を備えている。
受光素子５４は、画像表示装置１００を遠隔制御するためのリモートコントロール装置から送信される赤外線信号を受信するものである。
各ＬＥＤ５６は、画像表示装置１００の動作状態、例えば、電源のオンオフ、録画動作、予約動作、スタンバイ（省電力動作）、通信動作、タイマー動作などの状態を点灯、滅灯、点滅、あるいは点灯色などによって表示するものである。
【００１３】
そして、飾りパネル収容空間２３Ａ、２３Ｂに飾りパネル４０Ａ、４０Ｂがそれぞれ装着されている。
まず、飾りパネル収容空間２３Ａに装着される飾りパネル４０Ａから説明する。
図１１は上側の飾りパネル４０Ａの平面図、図１２は上側の飾りパネル４０Ａの斜視図、図１３、図１４は第１のパネルホルダ４６Ａの斜視図、図１５、図１６は第２のパネルホルダ４８Ａの斜視図、図１７は上側の飾りパネル４０Ａに第１、第２のパネルホルダ４６Ａ、４８Ａが取着された状態を示す組み立て図である。
図１１、図１２に示すように、飾りパネル４０Ａは、透明な合成樹脂からなる帯状の板材４２Ａと、板材４２Ａの裏面の全域に設けられた鏡面印刷面４４Ａとで構成されている。
板材４２Ａを構成する透明な合成樹脂は例えばアクリルやポリカーボネート及びＭＳ樹脂（メチルメタルクリレート・スチレン）を採用可能である。
本実施の形態では、板材４２Ａは、ガラスと同様な色を呈するように薄い緑色であるガラス色で着色されている。
板材４２Ａは、凹部２２０２の延在長さよりも大きい寸法の長さで形成されている。
板材４２Ａの長手方向の一端寄りで板材４２Ａの幅方向の中央箇所には板材４２Ａの厚さ方向に貫通する係合孔４２０２が形成されている。
板材４２Ａの裏面は鏡面仕上げがなされている。
鏡面印刷面４４Ａは、例えば、その全域が平滑な金属光沢を有する銀色を呈している。
【００１４】
飾りパネル４０Ａの鏡面印刷面４４Ａの背面には、図１７に示すように、１つの第１のホルダ４６Ａと複数の第２のホルダ４８Ａが取着されている。
図１３、図１４に示すように、第１のホルダ４６Ａは細長形状の本体板部４６０２を有し、本体板部４６０２には複数の係合爪４６１０と、複数の位置決めピン４６１２とを備えている。
本体板部４６０２は飾りパネル４０Ａの鏡面印刷面４４Ａの背面に両面粘着テープなどによって接着されている。
各係合爪４６１０は、本体板部４６０２の長さ方向と直交する上下方向（幅方向）の両側箇所から対向するように後方に向けて設けられるとともに、本体板部４６０２の長さ方向に間隔をおいて設けられている。
位置決めピン４６１２は、本体板部４６０２の長さ方向の一端と、本体板部４６０２の長さ方向の他端寄り箇所から後方にそれぞれ突設されている。
また、第１のホルダ４６Ａには、本体板部４６０２の長さ方向の一端から係合ピン４６１４が前方に突設されている。
なお、図５、図６に示すように、第１のホルダ４６Ａは、係合ピン４６１４が板材４２Ａの係合孔４２０２に係合することで板材４２Ａの長さ方向における位置決めがなされ、その状態で本体板部４６０２に接着されている。
【００１５】
図１５、図１６に示すように、第２のホルダ４８Ａは、細長形状の本体板部４８０２を有し、本体板部４８０２には複数の係合爪４８１０と、複数の位置決めピン４８１２とを備えている。
第１のホルダ４６Ａと第２のホルダ４８Ａは、本体板部４６０２、４８０２の長さと、係合爪４６１０、４８１０および位置決めピン４６１２、４８１２の突設箇所とが異なっている。
本体板部４８０２は飾りパネル４０Ａの鏡面印刷面４４Ａの背面に両面粘着テープなどによって接着されている。
各係合爪４８１０は、本体板部４８０２の長さ方向と直交する上下方向（幅方向）の両側箇所から対向するように後方に向けて設けられるとともに、本体板部４８０２の長さ方向に間隔をおいて設けられている。
位置決めピン４８１２は、本体板部４８０２の長さ方向の一端と、本体板部４８０２の長さ方向の他端寄り箇所から後方にそれぞれ突設されている。
【００１６】
次に、下側の凹部２２５０に装着される飾りパネル４０Ｂについて説明する。
図１８は下側の飾りパネル４０Ｂの平面図、図１９は下側の飾りパネル４０Ｂの斜視図、図２０、図２１は第１のパネルホルダ４６Ｂの斜視図、図２２、図２３は第２のパネルホルダ４８Ｂの斜視図である。
図１８、図１９に示すように、飾りパネル４０Ｂは、飾りパネル４０Ａと同様に、透明な合成樹脂からなる帯状の板材４２Ｂと、板材４２Ｂの裏面の全域に形成された鏡面印刷面４４Ｂとで構成されている。
板材４２Ｂを構成する透明な合成樹脂は例えばアクリルやポリカーボネート及びＭＳ樹脂を採用可能である。
本実施の形態では、板材４２Ｂは、板材４２Ａと同様にガラスと同様な色を呈するように薄い緑色であるガラス色で着色されている。
板材４２Ｂは、凹部２２５０の延在長さよりも大きい寸法の長さで形成されている。
板材４２Ｂの長手方向の一端寄りで板材４２Ｂの幅方向の中央箇所には板材４２Ｂの厚さ方向に貫通する係合孔４２０２が形成されている。
板材４２の裏面は鏡面仕上げがなされている。
鏡面印刷面４４Ａは、例えば、その全域が平滑な金属光沢を有する略銀色を呈している。
また、板材４２Ｂの係合孔４２０２寄りの箇所には、板材４２Ｂの一端から他端に向かう方向に沿って鏡面印刷面４４Ｂに１つの受光用窓４４１０と３つの発光用窓４４１２がこの順番で間隔をおいて形成されている。
これら１つの受光用窓４４１０と３つの発光用窓４４１２は、鏡面印刷面４４Ｂに開口が設けられることで形成されている。
受光用窓４４１０はリモコンからの赤外線光を主として透過する塗料で鏡面印刷面の背面からさらに印刷されている。
また、板材４２Ｂの裏面で３つの発光用窓４４１２の上方箇所には、黒色の塗料で「電源／録画・予約」、「スタンバイ」、「消画／通信／タイマー」という文字が形成されており、これらの文字が画像表示部１０の前方から視認できるようになっている。
【００１７】
飾りパネル４０Ｂの鏡面印刷面４４Ｂの背面には、図１７の場合と同様に、１つの第１のホルダ４６Ｂと複数の第２のホルダ４８Ｂが取着されている。
図２０、図２１に示すように、第１のホルダ４６Ｂは帯板状の本体板部４６０２を有し、本体板部４６０２には複数の係合爪４６１０と、複数の位置決めピン４６１２と、１つの係合ピン４６１４とが突設されている。
本体板部４６０２は飾りパネル４０の鏡面印刷面４４Ｂの背面に両面粘着テープなどによって接着されている。
各係合爪４６１０は、本体板部４６０２の長さ方向と直交する上下方向（幅方向）の両側箇所から対向するように後方に向けて設けられるとともに、本体板部４６０２の長さ方向に間隔をおいて設けられている。
位置決めピン４６１２は、本体板部４６０２の長さ方向の一端と、本体板部４６０２の長さ方向の他端寄り箇所から後方にそれぞれ突設されている。
また、第１のホルダ４６Ｂには、本体板部４６０２の長さ方向の一端から係合ピン４６１４が前方に突設されている。
なお、図５、図６に示すように、第１のホルダ４６Ｂは、係合ピン４６１４が板材４２Ｂの係合孔４２０２に係合することで板材４２Ｂの長さ方向における位置決めがなされ、その状態で本体板部４６０２に接着されている。
また、本体板部４６０２の一端寄りの箇所には、本体板部４６０２の長さ方向に延在する矩形状の開口４６２０が設けられている。
【００１８】
図２２、図２３に示すように、第２のホルダ４８Ｂは、細長形状の本体板部４８０２を有し、本体板部４８０２には複数の係合爪４８１０と、複数の位置決めピン４８１２とを備えている。
第１のホルダ４６Ｂと第２のホルダ４８Ｂは、本体板部４６０２、４８０２の長さと、係合爪４６１０、４８１０および位置決めピン４６１２、４８１２の突設箇所とが異なっている。
本体板部４８０２は飾りパネル４０Ｂの鏡面印刷面４４Ｂの背面に両面粘着テープなどによって接着されている。
各係合爪４８１０は、本体板部４８０２の長さ方向と直交する上下方向（幅方向）の両側箇所から対向するように後方に向けて設けられるとともに、本体板部４８０２の長さ方向に間隔をおいて設けられている。
位置決めピン４８１２は、本体板部４８０２の長さ方向の一端と、本体板部４８０２の長さ方向の他端寄り箇所から後方にそれぞれ突設されている。
【００１９】
次に、飾りパネル４０Ａ、４０Ｂの取り付けについて説明する。
予め、飾りパネル４０Ａには第１、第２のホルダ４６Ａ、４８Ａが取着され、飾りパネル４０Ｂには第１、第２のホルダ４６Ｂ、４８Ｂが取着されているものとする。
まず、飾りパネル４０Ａの取り付けについて説明する。
図５、図６に示すように、飾りパネル４０Ａの背面を凹部２２０２に臨ませ、飾りパネル４０Ａの一端を凹部２２０２の一端に位置する空間部Ｓに壁部２２０４の後方から挿入し、係合孔４２０２に係合ピン２２０６を係合させる。
次いで、図７に示すように、飾りパネル４０Ａの他端を凹部２２０２の他端に位置する空間部Ｓに壁部２２０４の後方から挿入し、飾りパネル４０Ａの他端を壁部２２０４の後方に位置させる。
このとき、凹部形成用壁２２０２Ａの長さ方向の両端は、図６、図７に示すように、壁部２２０４に対してその長さ方向の中央寄りに離れた箇所に位置しているので、飾りパネル４０Ａの長手方向の中央部を凹部２２０２より離れる方向に撓ませるようにして、飾りパネル４０Ａの他端を壁部２２０４の後方で空間部Ｓに挿入することで簡単になされる。
そして、図８、図９に示すように、第１、第２のホルダ４６Ａ、４８Ａの位置決めピン４６１２、４８１２を、位置決め溝２２１４に凹部２２０２の長さ方向に移動可能に挿入するとともに、図１０に示すように、第１、第２のホルダ４６Ａ、４８Ａの係合爪４６１０、４８１０を係合孔２２６２に凹部２２０２の長さ方向に移動可能に挿入して係合させる。
これにより、図５、図６に示すように、飾りパネル４０Ａの一端が係合ピン２２０６に飾りパネル４０Ａの長さ方向に移動不能に取着され、かつ、図７に示すように、飾りパネル４０Ａの他端は凹部２２０２に取着されずに飾りパネル収容空間２３Ａの延在方向の端部に位置する端壁２２０８との間に隙間Ｄを確保して配設される。
また、位置決めピン４６１２、４８１２が位置決め溝２２１４に凹部２２０２の長さ方向に移動可能に挿入されることで、飾りパネル４０Ａは、凹部２２０２の底壁２２１０の上下方向（凹部２２０２の長さ方向および深さ方向と直交する方向）の位置決めがなされる。
また、係合爪４６１０、４８１０が係合孔２２１２に凹部２２０２の長さ方向に移動可能に係合することで、飾りパネル４０Ａは、凹部２２０２の長さ方向に沿って移動可能に凹部２２０２内に保持される。
【００２０】
次に、飾りパネル４０Ｂの取り付けについて説明する。
図５、図６に示すように、飾りパネル４０Ｂの背面を凹部２２５０に臨ませ、飾りパネル４０Ｂの一端を凹部２２５０の一端に位置する空間部Ｓに壁部２２５４の後方から挿入し、係合孔４２０２に係合ピン２２５６を係合させる。
次いで、図７に示すように、飾りパネル４０Ｂの他端を凹部２２５０の他端に位置する空間部Ｓに壁部２２５４の後方から挿入し、飾りパネル４０Ｂの他端を壁部２２５４の後方に位置させる。
このとき凹部形成用壁２２０２Ｂの長さ方向の両端は、図６、図７に示すように、壁部２２５４に対してその長さ方向の中央寄りに離れた箇所に位置しているので、飾りパネル４０Ｂの長手方向の中央部を凹部２２５０より離れる方向に撓ませるようにして、飾りパネル４０Ｂの他端を壁部２２５０の後方で空間部Ｓに挿入することで簡単になされる。
そして、図８、図９に示すように、第１、第２のホルダ４６Ｂ、４８Ｂの位置決めピン４６１２、４８１２を、位置決め溝２２６４に凹部２２５０の長さ方向に移動可能に挿入するとともに、図１０に示すように、第１、第２のホルダ４６Ｂ、４８Ｂの係合爪４６１０、４８１０を係合孔２２６２に凹部２２５０の長さ方向に移動可能に挿入して係合させる。
これにより、図５、図６に示すように、飾りパネル４０Ｂの一端が係合ピン２２５６に飾りパネル４０Ｂの長さ方向に移動不能に取着され、かつ、図７に示すように、飾りパネル４０Ｂの他端は凹部２２５０に取着されずに飾りパネル収容空間２３Ａの延在方向の端部に位置する端壁２２０８との間に隙間Ｄを確保して配設される。
また、位置決めピン４６１２、４８１２が位置決め溝２２６４に凹部２２５０の長さ方向に移動可能に挿入されることで、飾りパネル４０Ｂは、凹部２２５０の底壁２２６０の上下方向（凹部２２５０の長さ方向および深さ方向と直交する方向）の位置決めがなされる。
また、係合爪４６１０、４８１０が係合孔２２６２に凹部２２５０の長さ方向に移動可能に係合することで、飾りパネル４０Ｂは、凹部２２５０の長さ方向に沿って移動可能に凹部２２５０内に保持される。
これにより、１つの受光素子５４と３つのＬＥＤ５６は、第１のホルダ４６Ｂの開口４６２０を介して板材４４Ｂの１つの受光用窓４４１０と３つの発光用窓４４１２にそれぞれ臨んだ状態となる。
したがって、赤外線信号が飾りパネル４０Ｂの板材４２Ｂを透過し、受光用窓４４１０、開口４６２０を介して受光素子５４に到達することが可能となり、また、各ＬＥＤ５４からの発せられた光が開口４６２０、発光用窓４４１２を介して、板材４４Ｂを透過して外方に到達することが可能となる。
【００２１】
本実施の形態では、液晶パネル３０の表示面３２の周囲に沿って配置される４つの細長形状の前面部のうちの上前面部２２Ａと下前面部２２Ｂにその長手方向に沿って凹部２２０２、２２５０を延在形成し、これら凹部２２０２、２２５０を含む飾りパネル収容空間２３Ａ、２３Ｂにそれぞれ飾りパネル４０Ａ、４０Ｂを配置し、それら飾りパネル４０Ａ、４０Ｂを、透明な合成樹脂材料からなる帯状の板材４２Ａ、４２Ｂと、板材４２Ａ、４２Ｂの裏面全域に形成された鏡面印刷面４４Ａ、４４Ｂとで構成した。
そのため、本実施の形態によれば、飾りパネル４０Ａ、４０Ｂの各鏡面印刷面４４Ａ、４４Ｂが透明な板材４２Ａ、４２Ｂを介して画像表示部１０の前方に臨み、飾りパネル４０Ａ、４０Ｂ箇所に奥行きが感じられ、液晶パネル３０のフローティング構造を構成することができる。
そして、本実施の形態では、飾りパネル４０Ａ、４０Ｂを構成する板材４２Ａ、４２Ｂの前後方向の厚さは、液晶パネル３０の前後厚さに比べて大幅に短縮された寸法で足りる。
したがって、従来のフローティング構造を構成するブラケットの厚さに比べて大幅に短縮でき、したがって、コストダウンを図りつつフローティング構造を構成でき、斬新な趣きを与え良好なデザイン性を確保することができる。
【００２２】
また、本実施の形態では、飾りパネル４０Ａの一端が係合ピン２２０６に飾りパネル４０Ａの長さ方向に移動不能に取着され、かつ、飾りパネル４０Ａの他端は凹部２２０２に取着されずにフロントカバー２０の端壁２２０８との間に隙間Ｄを確保して配設されているので、温度変化により板材４２Ａ、４２Ｂの長さが変化する際に、板材４２Ａ、４２Ｂは係合ピン２２０６、２２５６と係合孔４２０２との結合箇所を基準として膨張収縮するため、温度変化によって飾りパネル４０Ａ、４０Ｂが変形することがなく、飾りパネル４０Ａ、４０Ｂによるデザイン性を確保することができる。
また、飾りパネル４０Ａ、４０Ｂの長さ方向の両端は、壁部２２０４、２２５４により隠されているため、飾りパネル４０Ａ、４０Ｂによるデザイン性を向上する上で有利となる。
また、本実施の形態では、複数種類のホルダ４６Ａ、４８Ａ、４６Ｂ、４８Ｂを設けたので、機種や仕様毎に飾りパネル４０Ａ、４０Ｂの長さが変化しても、それらホルダの組み合わせにより対応でき、ホルダを共通して使用でき、コストダウンを図る上で有利となる。
さらには、従来では、飾りパネルはフロントカバーに一定圧力をかけて装着しており、このためフロントカバー単品に接着し、その後製品に組み付ける方法しかなかったが、本実施の形態では、飾りパネル４０Ａ、４０Ｂをフロントカバーの前方より挿入して固定することが出来るので、液晶表示装置の生産において、飾りパネル４０Ａ、４０Ｂが付いていない状態の半完成品の状態で液晶表示部ないしフロントカバーをストックしておくことができ、生産オペレーションの自由度が大幅に向上し、仕掛在庫等の圧縮が可能となる。
【００２３】
また、本実施の形態によれば、飾りパネル４０Ａ、４０Ｂを構成する板材４２Ａ、４２Ｂをガラス色で着色し、かつ、板材４２Ａ、４２Ｂの裏面に鏡面印刷面４４Ａ、４４Ｂを設けたので、飾りパネル４０Ａ、４０Ｂを視認した際により大きな奥行きが感じられ、従来と同様のフローティング構造を構成することができる。
なお、板材４２Ａ、４２Ｂをガラス色で着色せずに透明としてもよいが、本実施の形態のように板材４２Ａ、４２Ｂをガラス色で着色すると、飾りパネル４０Ａ、４０Ｂを視認した際により効果的に奥行き感を与えることができる。
【００２４】
なお、本実施の形態では、上前面部２２Ａ、下前面部２２Ｂの２つの前面部にそれぞれ凹部２２０２、２２５０を設け、飾りパネル４０Ａ、４０Ｂを配置した場合について説明したが、凹部や飾りパネルは４つの前面部のうちの１つの前面部に設けてもよく、あるいは、２つの前面部、あるいは、４つの前面部全てに設けてもよい。
また、本実施の形態では、飾りパネル収容空間２３Ａ、２３Ｂを、凹部２２０２、２２５０とその両側の空間Ｓで構成した場合について説明したが、飾りパネル収容空間２３Ａ、２３Ｂは凹部２２０２、２２５０のみで構成するようにしてもよい。ただし、実施の形態のように構成すると、飾りパネル４０Ａ、４０Ｂの他端の組み込みが簡単になされる。
また、本実施の形態では、画像表示パネルとして液晶パネル３０を用いた場合について説明したが、画像表示パネルは、プラズマディスプレイ、有機ＥＬ（Ｅｌｅｃｔｒｏｎｉｃ  Ｌｕｍｉｎｅｓｃｅｎｔ）ディスプレイなど従来公知の様々な表示デバイスを採用可能であることは無論である。
また、本実施の形態では、画像表示装置１００がテレビジョン装置である場合について説明したが、画像表示装置は、画像表示パネルが組み込まれた種々の電子機器、例えば、ノート型パーソナルコンピュータ、ＰＤＡ（Ｐｅｒｓｏｎａｌ  Ｄｉｇｉｔａｌ  Ａｓｓｉｓｔａｎｔｓ）、携帯型のゲーム機器などであってもよいことは無論である。
【図面の簡単な説明】
【００２５】
【図１】第１の実施の形態における画像表示装置１００の斜視図である。
【図２】フロントカバー２０を前方から見た斜視図である。
【図３】フロントカバー２０を後方から見た斜視図である。
【図４】（Ａ）はフロントカバー２０の正面図、（Ｂ）は（Ａ）のＸＸ線断面図、（Ｃ）は（Ａ）のＹＹ線断面図である。
【図５】図４（Ｂ）のＡ部分の拡大図である。
【図６】図５のＡ１部分の拡大図である。
【図７】図４のＢ部分の拡大図である。
【図８】図５のＡ２部分の拡大図である。
【図９】図４（Ｃ）のＣ部分の拡大図である。
【図１０】図４（Ｃ）のＤ部分の拡大図である。
【図１１】上側の飾りパネル４０Ａの平面図である。
【図１２】上側の飾りパネル４０Ａの斜視図である。
【図１３】第１のパネルホルダ４６Ａの斜視図である。
【図１４】第１のパネルホルダ４６Ａの斜視図である。
【図１５】第２のパネルホルダ４８Ａの斜視図である。
【図１６】第２のパネルホルダ４８Ａの斜視図である。
【図１７】上側の飾りパネルに第１、第２のパネルホルダ４０Ａ、４０Ｂが取着された状態を示す組み立て図である。
【図１８】下側の飾りパネル４０Ｂの平面図である。
【図１９】下側の飾りパネル４０Ｂの斜視図である。
【図２０】第１のパネルホルダ４６Ｂの斜視図である。
【図２１】第１のパネルホルダ４６Ｂの斜視図である。
【図２２】第２のパネルホルダ４８Ｂの斜視図である。
【図２３】第２のパネルホルダ４８Ｂの斜視図である。
【図２４】ＬＥＤ基板５０の斜視図である。
【符号の説明】
【００２６】
１０……画像表示部、３０……液晶パネル、２０……フロントカバー、２２Ａ……上前面部、２２Ｂ……下前面部、２２Ｃ……左前面部、２２Ｄ……右前面部、２２０２、２２５０……凹部、４０Ａ、４０Ｂ……飾りパネル、４２Ａ、４２Ｂ……板材、４４Ａ、４４Ｂ……鏡面印刷面、１００……画像表示装置。
【図１】
2007025004.tif 000003
【図２】
2007025004.tif 000004
【図３】
2007025004.tif 000005
【図４】
2007025004.tif 000006
【図５】
2007025004.tif 000007
【図６】
2007025004.tif 000008
【図７】
2007025004.tif 000009
【図８】
2007025004.tif 000010
【図９】
2007025004.tif 000011
【図１０】
2007025004.tif 000012
【図１１】
2007025004.tif 000013
【図１２】
2007025004.tif 000014
【図１３】
2007025004.tif 000015
【図１４】
2007025004.tif 000016
【図１５】
2007025004.tif 000017
【図１６】
2007025004.tif 000018
【図１７】
2007025004.tif 000019
【図１８】
2007025004.tif 000020
【図１９】
2007025004.tif 000021
【図２０】
2007025004.tif 000022
【図２１】
2007025004.tif 000023
【図２２】
2007025004.tif 000024
【図２３】
2007025004.tif 000025
【図２４】
2007025004.tif 000026